(57)【特許請求の範囲】
【請求項１】
再帰反射部材が波長依存性を有し、熱線の全部若しくはその大部分を再帰反射し、光合成に有効な波長を含む残りの波長域の光を概ね透過し、形状がフィルム状、シート状、パネル状、ブロック状、空洞状または柱状であり、その主たる面に再帰反射部材が略平行に設けられ、かつ、再帰反射部材を構成する熱線透過媒体中に分散されるか、再帰反射部材の表面に塗布された、短波長側の光を吸収し光合成に有効な光を発する蛍光剤を有することを特徴とする酷暑環境用農林資材として使用する方法。
【請求項２】
再帰反射部材が、熱線と可視光線のそれぞれの少なくとも大部分を再帰反射するものであり、且つ１０μｍ〜５ｍｍの大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、その少なくともいずれかを透明樹脂と要すればバインダー中に分散させた塗膜であることを特徴とする請求項１に記載の酷暑環境用農林資材として使用する方法。
【請求項３】
再帰反射部材が、熱線の全部若しくはその大部分を再帰反射し、光合成に有効な波長を含む残りの波長域の光を概ね透過するものであり、且つ１０μｍ〜５ｍｍの大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、それらの少なくともいずれかを熱線透過樹脂に分散させた塗膜であることを特徴とする請求項１又は２に記載の酷暑環境用農林資材として使用する方法。
【請求項４】
再帰反射部材が、熱線も可視光線のそれぞれの少なくとも大部分を再帰反射するものであり、且つ１０μｍ〜５ｍｍの大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、それらの少なくともいずれかを透明樹脂に分散させた塗料であることを特徴とする請求項１又は２に記載の酷暑環境用農林資材として使用する方法。
【請求項５】
再帰反射部材が、熱線も可視光線のそれぞれの少なくとも大部分を再帰反射するものであり、且つ１０μｍ〜５ｍｍの大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、それらの少なくともいずれかを多数個、透明樹脂を溶解する溶剤中に分散させたインキであることを特徴とする請求項１又は２に記載の酷暑環境用農林資材として使用する方法。
【請求項６】
再帰反射部材が、熱線の全部若しくはその大部分を再帰反射し、光合成に有効な波長を含む残りの波長域の光を概ね透過するものであり、且つ１０μｍ〜５ｍｍ の大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、それらの少なくともいずれかを熱線透過樹脂に分散させた塗料であることを特徴とする請求項１又は２に記載の酷暑環境用農林資材として使用する方法。
【請求項７】
再帰反射部材が、熱線の全部若しくはその大部分を再帰反射し、光合成に有効な波長を含む残りの波長域の光を概ね透過するものであり、且つ１０μｍ〜５ｍｍ の大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、それらの少なくともいずれかを熱線透過樹脂に分散させたインキであることを特徴とする請求項１又は２に記載の酷暑環境用農林資材として使用する方法。
【請求項８】
再帰反射部材が含有されている層と拡散反射層との積層からなり、再帰反射部材が波長依存性を有し、熱線の全部若しくはその大部分を再帰反射し、光合成に有効な波長を含む残りの波長域の光を概ね透過することを特徴とする請求項１乃至７のいずれか一項に記載の酷暑環境用農林資材として使用する方法。
【請求項９】
拡散反射層と再帰反射部材が含有されている層との積層からなり、拡散反射層がコールドミラー層であることを特徴とする請求項１乃至８のいずれか一項に記載の酷暑環境用農林資材として使用する方法。
【請求項１０】
熱帯地方や乾燥帯地方の農林地若しくはその周辺又は温帯地方の農地に敷いて用いたり、水面に浮かせて用いることを特徴とする請求項１乃至９のいずれか一項に記載の酷暑環境用農林資材として使用する方法。
【請求項１１】
熱帯地方から温帯地方にかけての地域における植物栽培用ハウス内の地面若しくは床面に敷いたり、または水面に浮かせて用いることを特徴とする請求項１乃至９のいずれか一項に記載の酷暑環境用農林資材として使用する方法。
【請求項１２】
植物栽培用ハウスの屋根材及び窓材として用いることを特徴とする請求項１乃至９のいずれか一項に記載の植物栽培用ハウス向け酷暑環境用農林資材として使用する方法。
【発明の詳細な説明】
【技術分野】
【０００１】
本発明は、酷暑環境用農林資材として使用する方法に関する。
【背景技術】
【０００２】
熱帯地域や乾燥地域では広大な砂漠が有効利用されず、食糧不足が恒常的である。その上に、人口増加が顕著である。
【０００３】
熱帯地域や乾燥地域における植物において食糧不足が恒常的である原因の一つは、熱帯地域や乾燥地帯における植物にとって、太陽光線のエネルギーの大部分は害あって益のないものであることによる。すなわち、植物の葉に照射されることなく、あるいは照射されても光合成に有効でない波長である等の理由により、光 合成に利用されなかった太陽光のエネルギーは、ただ単に土地や植物を加熱し、貴重な水分を蒸発させ、土地や植物を乾燥させることに使われてしまう。それに加えて、炎天下においては、作物の温度が高まると、気孔から蒸散により失われる水分が増加するため、作物は自身の乾燥を防ぐために、気孔を閉じる。その結果、二酸化炭素を取り込むことができず、光合成のための光が降り注がれているにもかかわらず、光合成を行うことができないまま、厳しい環境にひたすら耐え続けるのである。この時、光反応によって過酸化物が生成するために、場合によっては枯れてしまうこととなるのである。このような現象は温帯地方においても真夏の日照りが続けば植物が枯れる現象を目撃するところである。このように、酷暑における植物にとって、植物や土地からの水分を蒸発させる太陽光線は致命 的なものである。
【０００４】
過剰な太陽エネルギーにより作物の植えられた地面が加熱されないように、地面に鏡を配置し、反射させることが考えられるが、この場合、照り返しによって作 物が加熱されてしまい、かえって作物にとって厳しい状況になってしまうという問題がある。この問題は、通常、炎天下において、アスファルトの道路を歩いていると、照り返しによって、非常に暑い思いをした経験に照らして明らかであり、また、大人よりも背の低い子供のほうがより厳しいことからも明らかである。また、砂漠における水耕栽培ハウスによる野菜等の栽培においては、光合成に有効に活用されない過剰な太陽エネルギーがハウス内の多大な温度上昇を引き起こし、引いては、空調設備に対する負荷が多大になるという問題がある。かくの如く、熱帯や乾燥地帯での植物栽培に有効な手段がないというのが現状である。
【０００５】
また、熱線反射フィルムを用いてハウス内に熱線が入らないようにハウスを建設する提案があるが（特許文献１、２、３参照）、熱帯や乾燥地域でこの提案を実行した場合には、反射した熱線が近傍の土地を加熱し、それらからの伝熱により、栽培ハウスの土地をも加熱させてしまう。その上、太陽光エネルギーの大部分を占める可視光線は熱線反射フィルムを透過するので、熱帯地域は無論のことながら、温帯地域においても、ハウス内の温度上昇を引き起こす。そのため、農作業者もそのような高温高湿の雰囲気下での作業が大変であり、それを解消するためのハウス内の温度制御の費用が嵩むという問題がある。この対応の中でも比較的費用が嵩まなく、農作業者にとっても対応しやすい方法は、ハウス内が熱くなったときに、窓を開放して熱気を逃がす対応であるが、その場合でも、ハウス内の植物の成長を促進させるべく炭酸ガスや水蒸気の濃度を制御保持しているときには、その炭酸ガスや水蒸気までも放出してしまい、これらの制御を一時的に放棄しなければならないのである。
【０００６】
また、温帯でも、真夏においては、ビルの表面温度は７０℃を超える。そのような環境下でヒートアイランド現象を抑えるべく、ビルの緑化が試みられている。これは植物にとってまことに過酷である。例えば、セダムは生命力が強く、ドイツでは住宅の屋根緑化として多く採用されているが、気温２５℃未満で気孔を閉じてしまうため、気温が２５℃を超える日本の気候では過酷である（非特許文献１参照）。
【０００７】
また、湛水条件下にある稲でさえ、真夏の晴天時の日中には根の水分吸収速度が蒸散速度に追いつかずに気孔が閉じて、水分の損失を防ぐのである。
【０００８】
かように、酷暑環境というのは、熱帯地方や乾燥地方に限られず、温帯地方においても認められるのである。かくの如く、酷暑環境下においては、低廉な価格で提供できる適当な農林資材が知られていないため、人間はなす術がなく、植物が防衛的に気孔を閉じ、自らの成長を抑制せざるを得ないのを黙認せざるを得ず、 その作業をする者も酷暑に耐えているのである。
【先行技術文献】
【特許文献】
【０００９】
【特許文献１】特開昭６３−７７２８号公報
【特許文献２】特開平１０−１６５００８号公報
【特許文献３】特開２００９−８６６５９号公報
【非特許文献】
【００１０】
【非特許文献１】屋上緑化Ｗｉｋｉｐｅｄｉａ
【発明の概要】
【発明が解決しようとする課題】
【００１１】
本発明は、上記諸課題を解消する酷暑環境用農林資材として使用する方法を提供することを目的とする。
【課題を解決するための手段】
【００１２】
本発明者は、上記課題について再帰反射を利用することで解決することに思い至ったものである。
即ち、本発明は、次の（１）〜（１２）に存する。
（１）  再帰反射部材が波長依存性を有し、熱線の全部若しくはその大部分を再帰反射し、光合成に有効な波長を含む残りの波長域の光を概ね透過し、形状がフィルム状、シート状、パネル状、ブロック状、空洞状または柱状であり、その主たる面に再帰反射部材が略平行に設けられ、かつ、再帰反射部材を構成する熱線透過媒体中に分散されるか、再帰反射部材の表面に塗布された、短波長側の光を吸収し光合成に有効な光を発する蛍光剤を有することを特徴とする酷暑環境用農林資材として使用する方法。
（２）  再帰反射部材が、熱線と可視光線のそれぞれの少なくとも大部分を再帰反射するものであり、且つ１０μｍ〜５ｍｍの大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、その少なくともいずれかを透明樹脂と要すればバインダー中に分散させた塗膜であることを特徴とする上記（１）に記載の酷暑環境用農林資材として使用する方法。
（３）  再帰反射部材が、熱線の全部若しくはその大部分を再帰反射し、光合成に有効な波長を含む残りの波長域の光を概ね透過するものであり、且つ１０μｍ〜５ｍｍの大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、それらの少なくともいずれかを熱線透過樹脂に分散させた塗膜であることを特徴とする上記（１）又は（２）に記載の酷暑環境用農林資材として使用する方法。
（４）  再帰反射部材が、熱線も可視光線のそれぞれの少なくとも大部分を再帰反射するものであり、且つ１０μｍ〜５ｍｍの大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、それらの少なくともいずれかを透明樹脂に分散させた塗料であることを特徴とする上記（１）又は（２）に記載の酷暑環境用農林資材として使用する方法。
（５）  再帰反射部材が、熱線も可視光線のそれぞれの少なくとも大部分を再帰反射するものであり、且つ１０μｍ〜５ｍｍの大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、それらの少なくともいずれかを多数個、透明樹脂を溶解する溶剤中に分散させたインキであることを特徴とする上記（１）又は（２）に記載の酷暑環境用農林資材として使用する方法。
（６）  再帰反射部材が、熱線の全部若しくはその大部分を再帰反射し、光合成に有効な波長を含む残りの波長域の光を概ね透過するものであり、且つ１０μｍ〜５ｍｍ の大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、それらの少なくともいずれかを熱線透過樹脂に分散させた塗料であることを特徴とする上記（１）又は（２）に記載の酷暑環境用農林資材として使用する方法。
（７）  再帰反射部材が、熱線の全部若しくはその大部分を再帰反射し、光合成に有効な波長を含む残りの波長域の光を概ね透過するものであり、且つ１０μｍ〜５ｍｍ の大きさの再帰反射構造を示すもの４個以上を一体として対称若しくは略対称とするものか、又は１０μｍ〜５ｍｍの大きさの再帰反射構造を示すもの３個以上を連接して表裏両面をそれぞれ構成して平板若しくは略平板とするものであり、それらの少なくともいずれかを熱線透過樹脂に分散させたインキであることを特徴とする上記（１）又は（２）に記載の酷暑環境用農林資材として使用する方法。
（８）  再帰反射部材が含有されている層と拡散反射層との積層からなり、再帰反射部材が波長依存性を有し、熱線の全部若しくはその大部分を再帰反射し、光合成に有効な波長を含む残りの波長域の光を概ね透過することを特徴とする上記（１）乃至（７）のいずれか一項に記載の酷暑環境用農林資材として使用する方法。
（９）  拡散反射層と再帰反射部材が含有されている層との積層からなり、拡散反射層がコールドミラー層であることを特徴とする上記（１）乃至（８）のいずれか一項に記載の酷暑環境用農林資材として使用する方法。
（１０）  熱帯地方や乾燥帯地方の農林地若しくはその周辺又は温帯地方の農地に敷いて用いたり、水面に浮かせて用いることを特徴とする上記（１）乃至（９）のいずれか一項に記載の酷暑環境用農林資材として使用する方法。
（１１）  熱帯地方から温帯地方にかけての地域における植物栽培用ハウス内の地面若しくは床面に敷いたり、または水面に浮かせて用いることを特徴とする上記（１）乃至（９）のいずれか一項に記載の酷暑環境用農林資材として使用する方法。
（１２）  植物栽培用ハウスの屋根材及び窓材として用いることを特徴とする上記（１）乃至（９）のいずれか一項に記載の植物栽培用ハウス向け酷暑環境用農林資材として使用する方法。
【００１３】
〔定義〕
本発明において規定する「再帰反射」とは、再帰反射率が入射光の５０％以上、好ましくは６０％以上、より好ましくは７０％以上であり、反射した光の６０％ 以上、好ましくは７０％以上、より好ましくは８０％以上を、入射した方向から±１０度以内の方向に再帰反射するものをいう。また、本発明において規定する「拡散反射」とは、乱反射と鏡面反射（正反射）とを包含する意味で用いている。
【００１４】
また、本発明において規定する「農林資材」とは、植物を育てるための資材を包括的に表現するものであり、農業資材と林業資材を含め、農業資材の中には園芸資材も包含する意味で用いている。また、農林用成形物の他、農林用成形物の一部若しくは全てが塗料により塗布されることで成形されるような成形物の中間体も包含する意味で用いている。
【００１５】
また、本発明において規定する「酷暑環境」とは、本発明に係る再帰反射よりなる農林資材がなければ、一年の中で一番厳しい条件下であれば、気孔が暑さのために閉じたり、気孔の開口率が３０％以下となる環境または光合成速度が暑さのために最適条件下の３０％以下となる環境を指す。
【００１６】
また、本発明において規定する「熱線」とは、太陽光の光合成に有効な波長より長波長の光を指していうものである。また、本発明において規定する「熱線の大部分」とは、熱線の６０％以上、好ましくは８０％以上、より好ましくは９０％以上を意味する。
【００１７】
また、本発明において規定する「主たる面」とは、通常は、農林資材の形状がフィルム状、シート状、パネル状、ブロック状、空洞状又は柱状の形状における外面を構成する多面体の中で最も広い面積を有する面をいう。しかしながら、形状が空洞状で、その形状が直方体より多面体であり、例えば受光面側が屋根型で底面が平面のような形状のような場合とか、煉瓦のように積み上げて使用するように、本発明農林資材を重ねて使用する場合には、施工後に外気や太陽光に晒される面を「主たる面」という。尚、ここで「面」とは平面や曲面、場合によっては凹凸面を含む意味で用いている。
【００１８】
また、本発明において規定する「略平行」とは、例えば、図１で いえばミラー５の平均的向きは主たる面に平行である。このように再帰反射部材の細部を見れば、主たる面に平行ではないが、平均的にみれば、平行であるものを包含するばかりでなく、平均的に見ても主たる面に平行ではないが、ほぼ平行であり、本発明の目的を達成し得るものをも包含する。
【００１９】
また、本発明において規定する「蛍光」とは、光の波長を変換する機能を代表して記述したものであり、蛍光や燐光をいう。
【００２０】
また、本発明で「略対称」あるいは「略平板」とは、前者が対称に近似するものであり、後者が平板に近似するものであり、いずれも一体となる微小再帰反射体が塗布の仕方に関係なく、近似的に再帰反射を示すものである。また、本発明に於いて規定する「略等方的」とは、等方的ではないが、近似的に等方的であり、塗布の仕方に関係なく、近似的に再帰反射を示すものをいう。
【００２１】
また、本発明において規定する「透明」とは、可視光線、熱線を概ね透過するという意味であり、より好ましくは太陽光の概ね全波長に対して概ね透過することをいい、このような部材が見た目において概ね透明であることから代表して記述に用いたものである。尚、本発明における農林資材中に蛍光剤が含まれている場合には、蛍光剤が吸収する波長域がたとえ紫外線領域であっても、その放射する波長域が光合成に有効な波長域である限り、その紫外線領域に対しても概ね透過することを意味する。これに対し、本発明において規定する「熱線透過」とは、熱線を概ね透過するという意味である。ここで「概ね透過する」とは、波長平均透過率が６０％以上、好ましくは７０％以上、より好ましくは８０％以上であることを意味する。
【００２２】
また、本発明で「熱帯」とか「乾燥帯」はケッペンの気候区分による。
【００２３】
また、本発明で「再帰反射部材が受光面とほぼ同面積」でいう「ほぼ」とは、再帰反射部材の主たる面が受光面積の７０％以上、好ましくは８０％以上、よりこのましくは９０％以上であることをいう。
【００２４】
また、本発明で「概ね真空」とは、断熱性を損なわない程度の減圧下を包含する意味で用いている。
【００２５】
また、本発明で「略一層」とは、完全な一層構造のみでなく、所々欠けた一層構造または部分的に若しくは大部分が二層以上であってもよく、単に一層が好ましい構造体であることを示すものである。
【発明の効果】
【００２６】
請求項１に係る、再帰反射構造を有する酷暑環境用農林資材として使用する方法によれば、蛍光剤に吸収されなかった光は再帰反射により土地や植物の過熱を防ぎ、再帰反射された後に蛍光剤に吸収された光或いは再帰反射される前に蛍光剤に吸収された光は、光合成に有効な光として散乱されて、近傍にある植物に照射されるので、植物の光合成ひいては植物の育成をより効率的に促進できるものとなる。そのため、再帰反射部材のみであれば、光合成に有効でない波長に対しては、土地や植物の過熱を防ぐに過ぎず、光合成に有効な波長に対しては再帰反射面から再帰反射するだけであり光散乱されるわけではないので、限られた受光面にある植物に対して光合成の効果を与えるにとどまり、その限りでは光を有効に使っていなかったのであるが、蛍光剤の存在により有効利用される。
【００２７】
また、請求項２〜７に係る農林資材としての使用方法によれば、請求項1の効果のほかに、塗料又はインキの形態で提供され、しかも通常の塗布方法でも、特に制限された条件もなく塗布することができ、塗布後は請求項２〜７に係る農林資材としての使用方法によれば、従来にない高い再帰反射性能のものが得られる。即ち、従来は通常の塗布方法では、高い再帰反射性能のものが得られなかったのであるが、請求項２〜７に係る発明で、そのようなものが達成できるのである。この点を詳述すると、従来、再帰反射を提供し得た塗料としては、ビーズ型のものが知られているが、ビーズ型の場合、焦点の位置 に反射面が来る必要がある。そのため、ビーズを高屈折率材料で製造し、その屈折率とビーズの大きさを調整することで、ビーズと反射層との界面若しくはその近傍に焦点が来るようにして、ビーズを反射層に埋め込むことが一般的である。かかる要請から、ビーズを一層に塗ることが必須である。さもないと焦点の位置と反射面がずれてしまい、再帰反射として満足できる性能が得られないからである。ところが、従来、一層にビーズを塗る方法としては、静電電着塗装法やエアスプレー法があったのであるが、それらには固有の問題がある。まず、静電電着塗装法では素人が簡単に扱える方法ではないという問題がある。また、エアスプレー法では、主面に対して概ね垂直にビーズをぶつけて下地の定着層に食い込ませるので、主面に対して定着層が概ね水平である必要があり、傾斜している定着面では食い込みが浅くなり、ビーズの結着が弱く、剥がれ落ちやすい。また、主面に対して、凹凸構造を有する場合、例えば、タイルやブロックのように溝が設けられているものでは、主面に対して垂直に近い面があるため、施工が困難である。このようにエアスプレー法では、ビーズの利用率が低く、未利用のビーズはごみになってしまい、コスト的に高いものになっている。そのため、通常は結着剤を含有する塗料で塗布する方法がとられる。ところが、実際問題として、塗布するときにビーズを含む上塗り塗料は透明であるため、反射面である下塗り層に対して、とかく厚塗りしがちになる。また、薄く塗って一層にしたつもりでも、一部重ね塗りをしがちであり、そのような部位は２層とか３層になる。そのため、再帰反射性能の高いものを得ることは簡単ではないのが実情である。この点を改良したビーズ型として、再帰反射面がビーズの表面の一部に設けられたものがある（特開２００５−１０５２２２号参照）。これは再帰反射面が塗布に影響されることなく一定距離になるので、その面では改良される。しかしながら、ビーズの中を光が入射した後に再帰反射面で反射されるようにいつも配置できないため、この場合も高い再帰反射性能が得られない。その点をさらに改良した特開２００５−２８８２０６号にしても、その一つの改良では、下塗り層とビーズの反射層との親和性を高めて、反射層が下塗り層側に配列させるようにしているが、ビーズが重なるように塗った場合には、ビーズの向きが揃わなくなり、再帰反射性が得られない。また、別の改良では、ビーズの反射層を磁性体とし、磁力でビーズの反射層の向きを揃えているが、塗装面側に磁力で引き寄せることができる対象物への塗装に限定���れる。これら従来技術に対し、請求項２〜７に係る発明によれば、コーナーキューブ型微小反射体の形態においてはどのように微小反射体が配置されても主面側に向いているコーナーキューブ型の再帰反射構造が存在し、また、ビーズ型微小反射体の形態においては、焦点と反射面の位置関係が固定されているとともに、どのように微小反射体が配置されても主面側に向いているビーズ型の再帰反射構造体が存在するので、いずれの形態であっても、整然と一層に塗布する必要がなく、それでいてなお且つ、高い再帰反射性能が得られるものである。
【００２８】
また、請求項８に係る酷暑環境用農林資材としての使用方法によれば、再帰反射部材含有層と拡散反射層とが積層されており、しかも再帰反射部材が波長依存性を有し、熱線を再帰反射し、光合成に有効な波長を含む残りの波長域の光を概ね透過するので、本発明農林資材を酷暑環境下にある植物の近傍に配置して再帰反射部材含有層を受光面として使用すれば、熱線が近傍の植物には照射されず、酷暑環境下にある植物を過熱しない。しかも、光合成に有効な波長を含む残りの波長域の光は再帰反射部材含有層を概ね透過して、拡散反射層で拡散反射されるので、近傍にある植物の光合成を促進することができる。
【００２９】
また、請求項９に係る酷暑環境用農林資材としての使用方法によれば、拡散反射層と再帰反射部材含有層とが積層されており、しかも拡散反射層がコールドミラー層であるので、酷暑環境下にある植物の近傍に配置してコールドミラー層を受光面として使用すれば、コールドミラー層で光合成に有効な波長を含む光を拡 散反射する。それにより、近傍にある植物の光合成を促進し、コールドミラー層を透過する残りの波長は再帰反射部材含有層で再帰反射するので、酷暑環境下にある植物は熱線を受けず、蒸散を防ぐべく気孔を閉じる必要がないので、より一層、酷暑環境下にある植物の成長を促進することができる。
【００３０】
また、請求項１０に係る酷暑環境用農林資材としての使用方法によれば、熱帯地方や乾燥帯地方の農林地の植物の近傍若しくはその周辺又は温帯地方の農林地の植物の近傍に敷いて用いたり、湖沼池や水田における植物の近傍の水面に浮かせて用いることで、太陽光のエネルギーを周囲に発散させることなく或いは蛍光剤を含有する場合には必要以上に発散させることなく、再帰反射するので、周囲を過熱しない。その結果、湖沼池の水分に限らず、地面などや植物の水分の蒸散を抑制することができ、植物の気孔は閉じたり、狭めたりする必要が軽減され、農林地や水面にある植物の成長を促進させることができる。
【００３１】
また、請求項１１に係る酷暑環境用農林資材としての使用方法によれば、熱帯地方から温帯地方にかけての地域における植物栽培ハウス内の地面などであって、植物の近傍に敷いて用いることで、植物栽培ハウス内に照射された光のうち、植物に照射される光は別として、その太陽光のエネルギーを周囲に発散させることなく或いは蛍光剤を含有する場合には必要以上に発散させることなく、再帰反射するので、周囲を過熱させない。その結果、地面などや植物の水分の蒸散を抑制することができ、植物の気孔は閉じたり、狭めたりする必要が軽減され、植物の成長を促進させることができ、且つ、温度制御費用を低減することができる。しかも、植物栽培ハウス内で作業する者もハウス内が過熱されることがないので、農林作業が楽に作業ができる。
【００３２】
また、請求項１２に係る酷暑環境用農林資材としての使用方法によれば、受光部材で熱線の全部若しくは大部分が再帰反射されるので、酷暑環境下にある植物栽培ハウス内には植物の光合成に必要な光のみが入ってくる。それでも、熱線はカットされていながら、なお太陽エネルギーの半分強が植物栽培用ハウス内に入ってくるのであるが、そのうち、植物に照射されずに、植物栽培ハウス内の地面などに照射される可視光線のエネルギーは、再帰反射部材により、植物栽培ハウス内を暖めることなく、再帰反射されるので、植物栽培ハウス内は熱帯地方においてもさほど過熱されないで済む。その結果、地面などや植物の水分の蒸散を抑制することができ、植物の気孔は閉じたり、狭めたりする必要が軽減され、植物の成長を促進させることができ、且つ、温度制御費用が抑制される。それとともに、植物栽培ハウス内で作業するも楽に作業ができる。
【図面の簡単な説明】
【００３３】
【図１】本発明の第１の実施形態に係る酷暑環境用農林資材としての使用方法に用いられる農林資材の概略構成を模式的に示す縦断面説明図である。
【図２】本発明の第２の実施形態に係る酷暑環境用農林資材としての使用方法に用いられる農林資材の概略構成を模式的に示す縦断面説明図である。
【図３】（ａ）は、本発明の第１及び第２の実施形態に係る酷暑環境用農林資材としての使用方法の一例を模式的に示す概略説明図、（ｂ）は他例の概略説明図である。
【図４】（ａ）及び（ｂ）は、それぞれ本発明の第１及び第２の実施形態に係る酷暑環境用農林資材としての使用方法のさらに別の例概略を模式的に示す概略説明図である。
【図５】本発明の第１及び第２の実施形態に係る酷暑環境用農林資材としての使用方法のさらに別の例を模式的に示す概略説明図である。
【図６】本発明の第３の実施形態に係る酷暑環境用農林資材としての使用方法に用いられる農林資材の概略構成を模式的に示す縦断面説明図である。
【図７】本発明の第４の実施形態に係る酷暑環境用農林資材としての使用方法に用いられる農林資材の概略構成を模式的に示す縦断面説明図である。
【図８】本発明の第５の実施形態に係る酷暑環境用農林資材としての使用方法に用いられる農林資材の概略構成を模式的に示す断面説明図である。
【図９】（ａ）〜（ｅ）は、それぞれ別の態様である、本発明の第５の実施形態に係る酷暑環境用農林資材としての使用方法に用いられる再帰反射部材の概略構成を模式的に示す説明図である。
【図１０】（ａ）及び（ｂ）は、本発明の第５の実施形態のコーナーキューブを外側に開口した構造の微小透明球状体が不均一に塗布された場合の再帰反射性能を説明するための塗装縦断面図である。
【図１１】本発明の第８の実施形態に係る酷暑環境用農林資材としての使用方法に用いられる農林資材の一態様の縦断面図である。
【図１２】本発明の第８の実施形態に係る酷暑環境用農林資材としての使用方法に用いられる農林資材の一態様の縦断面図である。
【図１３】本発明の第８の実施形態に係る酷暑環境用農林資材としての使用方法に用いられる農林資材の別の態様の縦断面図である。
【発明を実施するための形態】
【００３４】
以下に、本発明の各実施形態に係る酷暑環境用農林資材としての使用方法を、図面を参照しながら説明する。但し、図面は模式的なものであり、各材料層の厚さ やその比率などは現実のものとは異なることに留意すべきである。したがって、具体的な厚みや寸法は以下の説明および公知技術を参酌して判断すべきものである。また、図面相互間においても互いの寸法の関係や比率が異なる部分が含まれていることは勿論である。
【００３５】
〔第１の実施の形態〕
第１の実施の形態に係る酷暑環境用農林資材としての使用方法に用いられる農林資材１０は、図１に示すように、再帰反射部材として、コーナーキューブプリズム構造１を取る場合である。コーナーキューブプリズム構造１は熱線透過媒体層４とミラー５により構成されている。本実施形態においては、熱線透過媒体層４には蛍光剤２が分散されている。また、ミラー５を境にして熱線透過媒体層４の裏側には裏打ち層６が形成されていることが好ましい。
【００３６】
また、上記構成とは別に、ミラー５を設けずに、裏打ち層６に金属粉を分散させた樹脂とした構成としてもよい。
【００３７】
熱線透過媒体層４は、熱線を概ね透過する媒体であればよいが、好適には、全波長を概ね透過するものが用いられる。また、好適には、耐候性や機械的耐久性を有するものが用いられ、樹脂、ガラスなどが用いられる。このうち、成形加工性や柔軟性の点で樹脂が好ましい。樹脂としては、例えば、耐候性ウレタン系樹脂、アクリル系樹脂、メタクリル系樹脂、カーボネート系樹脂、ポリエステル系樹脂、エポキシ系樹脂、シリコン系樹脂、アルキド系樹脂、塩素系樹脂、フッ素系樹脂、ポリオレフィン系樹脂等の樹脂を用いることができる。蛍光剤の最適な含有量は、用いる蛍光剤の種類によって異なるが、概ね透明媒体中に０．００５〜３質量％、より好ましくは、概ね０．０１〜０．５質量％である。
【００３８】
ミラー５は、熱線を概ね反射しうる材質であればよいが、光を概ね反射しうる材質であればより一層よい。通常、金属が用いられ、蒸着法やメッキにより形成されるのが好ましいが、樹脂に分散された金属粉末でもよい。ミラー５の反射率は高いほど好ましく、７０％以上、好ましくは８０％以上、より好ましくは９０％ 以上である。
【００３９】
蛍光剤２は短波長側の光を吸収し、光合成に有効な光を放射する機能を有するものである。短波長側の光が光合成に有効でないとき、それを吸収して光合成に有効な光とするものであってもよいし、短波長側の光自体も光合成に有効なとき、それを吸収してより有効性を増すものであってもよい。ここで「光合成に有効な 波長」とは、光合成に寄与する波長を指すのであり、植物の種類によって異なるものである。より厳密にいうと、植物の有する光合成システムにおいて太陽光を吸収する光アンテナとなる色素の種類、すなわち、その光吸収特性によって異なるものである。例えば、水草のような光合成真核生物では、約０．６〜約０．７μｍの波長、即ち橙〜赤色の波長が最も光合成に有効な波長であり、ついで約０．４〜約０．５μｍの波長、即ち青〜青緑色の波長が光合成に有効な波長であり、約０．５〜約０．６μｍの波長、即ち緑〜黄色の波長は光合成に利用できるものの効率が悪い波長であり、０．４μｍ以下の紫外線の波長は光合成に効果がないばかりでなく、植物の成長阻害をもたらすことが知られている。この例でいえば、約０．４μｍ未満の光を吸収して約０．４〜約０．７μｍの光に変換する蛍光剤であってもよいし、約０．４μｍ未満若しくは約０．５〜約０．６μｍの光を吸収して約０．６〜約０．７μｍの光に変換する蛍光剤であってもよい。
【００４０】
かかる蛍光剤としては公知の無機または有機の蛍光顔料、蛍光色素などを用いることができる。その中でも蛍光顔料としては、発光ピークの波長が０．４２〜０．５５μｍ、または、０．６〜０．７μｍにあるものが好適なものとして使用される。これは、約０．４２〜約０．５５μｍの波長の光が植物の光合成に関与して、主として葉の成長を促進し、また、約０．６〜約０．７μｍの波長の光は植物の光合成に関与して、主として実の成長を促進するからである。なかでも、反射率の高いものが好ましく、例えば、０．４２〜０．５５μｍの波長に発光ピークのあるものとしては、蛍光緑色顔料であるＮＫＰ−４００２（発光ピーク約０．５１μｍ、反射率１３８％）、蛍光緑色顔料であるＮＫＰ−４００５（発光ピーク約０．５１２μｍ、反射率１４０％）などが挙げられ、０．６〜０．７μｍの波長に発光ピークのあるものとしては、蛍光赤色顔料であるＮＫＰ−４００３（発光ピーク約０．６０５μｍ、反射率２０３％）（以上、いずれも商品名日本蛍光化学（株）社製）などが挙げられる。また、蛍光色素としては、例えば、ビオラントロン系色素、イソビオラントロン系色素、ビラントロン系色素、フラバントロン系色素、ペリレン系色素、ビレン系色素などの多環系色素、キサンテン系色素、チオキサンテン系色素、ナフタルイミド色素、ナフトラクタム色素、アントラキノン色素、ベンゾアントロン色素、クマリン色素などが挙げられる。さらには、量子ドットと呼ばれる量子効果を用いた無機系の蛍光剤も利用可能である。
【００４１】
蛍光剤の存在位置としては、放射光側になりうる位置であればどこでも良い。具体的には再帰反射部材を構成する熱線透過媒体層４中に分散させるか、再帰反射部材の表面に塗布される。図では熱線透過媒体層４中に分散させた例を示しているが、他の透明媒体層があるときは、その層に含有させてもよいし、熱線透過媒体層４の表面に塗布させてもよい。
【００４２】
裏打ち層６は、コーナーキューブプリズム構造１を有する熱線透過媒体層４の裏面が凸凹となるために、ごみ等が付着しやすく、また、取り扱い時に引っかかりやすく裂けやすいことから設けられたものであって、状況によってはなくても良い。従って、裏打ち層６は透明である必要性がなく、樹脂などにより作製することができる。
【００４３】
酷暑環境用農林資材１０は、通常採用される樹脂の成形加工技術やガラスの成形加工技術で成形することができる。例えば、熱線透過媒体層４が樹脂の場合には、蛍光剤２が分散された熱線透過樹脂組成物をプレス加工により、コーナーキューブプリズム構造１を取り得るような形状の成形物に作製し、コーナーキューブプリズム構造１を取り得る様な形状の部位に、反射面となるミラー５を、例えばアルミ蒸着やメッキにより設け、裏打ち層６を構成する樹脂を流し込むことで作製することができる。また、最初に裏打ち層を金属粉末含有樹脂で作成し、その上部に蛍光剤を含有する熱線透過樹脂を流し込んで酷暑環境用農林資材１０を作製してもよい。
【００４４】
次に、本実施形態に係る酷暑環境用農林資材１０の作用を説明する。本実施形態では、図１に示すように、酷暑環境用農林資材１０に入射した光線７のうち、蛍光剤２に入射することなく、コーナーキューブプリズム構造のミラー５に直接入射したものはミラー５によって反射され、その反射光が蛍光剤２に吸収されない限り、コーナーキューブプリズム構造１によって再帰反射されるので近傍の植物や地面などを 熱することがない。また、光線の入射光線がミラー５により反射される前か後に蛍光剤２に入射したものは短波長側の光を吸収し光合成に有効な光を蛍光剤２の全方位に放射する。その結果、酷暑環境用農林資材１０の近傍にある植物の光合成を促進する効果を有する。
【００４５】
〔第２の実施の形態〕
第２の実施形態に係る酷暑環境用農林資材としての使用方法に用いられる農林資材２０は、再帰反射部材が第１の実施形態のコーナーキューブプリズム構造１の代わりにビーズ構造２１とする点で第１の実施形態と異なる。即ち、酷暑環境用農林資材２０は、図２に示すように、光合成に有効な光を放射する蛍光剤２が分散された熱線透過球状体２２と光反射層２３と定着層２４と裏打ち層２５とから構成されており、熱線透過球状体２２はその一部が光反射層２３及び定着層２４内に埋没・固着し、残りが定着層２４から露出するように、略一層に密に敷きつめて形成されている。また、熱線透過球状体２２の一部が定着層２４から露出せず、薄い熱線透過体で被覆されていてもよい。
【００４６】
このうち、熱線透過球状体２２は、入射した光の焦点の位置と反射位置とがなるべく一致させ、再帰反射率が５０％以上になるように屈折率と大きさが選択される。材質としては、熱線透過媒体層４に用いられたものと同様の材質からなり、ガラス、セラミックス若しくは熱線透過樹脂から構成され、セラミックスの場合は表面のみがセラミックスで中は透明材料からなるものでもよい。大きさ、屈折率は、平均粒径７０〜１５０μｍで、屈折率（ｎ）１．８〜２．０のようなものが好適に用いられる。さらに、熱線透過球状体の平均粒径は、再帰反射性、熱線透過球状体層の形成工程における熱線透過球状体の吐出安定性と固着効率性、並びに、熱線透過球状体層の形成工程が塗料による場合における塗膜からの非剥離性・非脱落性を考慮してより一層好適な範囲を設定することができる。
【００４７】
光反射層２３は、熱線透過球状体２２と直接、あるいは焦点樹脂層（焦点層）を介して積層される。このうち、焦点樹脂層を介するのは、入射角が大きくなったときの反射性の低下を防ぐためのものであり、特公平８−２７４０２号、特開平８−１０１３０４号などに示すような方法で均一な厚みの透明層を形成する方法とか、樹脂塗料を粉体塗装して後、熱処理する方法、特許第３７２３５６８号に示すような、焦点樹脂層の厚さをランダムにする方法などが例示される。また直接積層するものとしては、例えば、金属粉顔料を含有する熱線透過樹脂組成物からなる。その場合の熱線透過樹脂は、接着性に優れかつある程度の耐候性や機械的耐久性を有するものが好ましく、例えば、耐候性ウレタン系樹脂、アクリル系樹脂、メタクリル系樹脂、カーボネート系樹脂、ポリエステル系樹脂、エポキシ系樹脂、シリコン系樹脂、アルキド系樹脂、塩素系樹脂、フッ素系樹脂、ポリオレフィン系樹脂等の樹脂を用いることができる。中でも耐候性ウレタン系樹脂やメタクリル系樹脂が接着性、耐候性、経済性等の観点からとくに好適である。光反射層２３の樹脂中に含有される金属粉顔料には、アルミニウム、銅、錫、銀等の箔を粉末にした顔料を用いることができるが、光輝性と入手の容易さからアルミニウム粉末が最適であり、その濃度は固化状態の反射層に対する質量比で２０〜４０％であることが望ましい。金属粉は、なかでも箔を粉末にしたものが好ましいが、光反射性を有する限り、特に制限されず、粉とは言い難い粒子状のものであってもよい。また、金属粉の代わりに、白色あるいは表面が鏡面のビーズであってもよく、光を反射しうるものであれば、何でもよい。また別な例としては、光反射層２３と熱線透過球状体２２との界面を少なくとも含む表面を金属蒸着したものがある。また、熱線透過球状体２２の屈折率より低い材料を用いて、屈折率の異なる界面での反射を利用してもよい。屈折率の低い材料としては、空気も利用可能である。光反射層２３の厚みは、熱線透過球状体２２が光反射層２３の底部又はその近くまで埋込まれ、その下部表面の３０〜５０％程度が光反射層２３と接している場合に最も反射率が高くなることから、例えば、熱線透過球状体の平均粒径７０〜１５０μｍとする場合は、光反射層の厚みは４０〜６０μｍとすることが望ましい。
【００４８】
定着層２４は樹脂又は樹脂組成物からなる。このうち、定着層２４を構成する樹脂は、耐候性、耐黄変性、耐チョーキング性と耐ハンドリング性に優れたものが好ましく、特に耐候性ウレタン系樹脂又はメタクリル系樹脂が好適である。定着層２４の厚みは、熱線透過球状体２２の塗膜からの脱落防止と、露出面積の増大に伴う再帰反射性の効果の増大との兼ね合いから、例えば、熱線透過球状体の平均粒径が７０〜１５０μｍとする場合は、定着層の厚みは４０〜６０μｍとすることが望ましい。また、樹脂組成物を構成する樹脂以外の成分としては着色剤、安定剤などが例示される。
【００４９】
蛍光剤の存在位置としては、放射光側になりうる位置であればどこでもよい。具体的に は再帰反射部材を構成する熱線透過媒体中に分散させるか、再帰反射部材の表面に塗布される。図では熱線透過球状体２２の中に分散されているが、熱線透過球状体２２に分散させず、定着層２４中に分散させてもよいし、両方に分散させてもよいし、図示していないが、熱線透過球状体２２や定着層２４を覆うように被覆若しくは積層された熱線透過樹脂中に分散させてもよい。また、上記層のいずれかの表面に塗布されてもよい。
【００５０】
裏打ち層２６は、光反射層２３の裏面を保護するために設けるものである点で、実施形態1における裏打ち層６と目的を若干異にする面もあるが、裏打ち層６と 概ね同趣旨であり、同様のものが用いられる。即ち、裏打ち層６と同様、必須ではないが、設けた方が好ましい。設ける場合には、裏打ち層２６は透明である必要性がなく、樹脂などにより作製することができる。
【００５１】
酷暑環境用農林資材２０も酷暑環境用農林資材１０と同様、樹脂加工技術やガラス加工技術、セラミックス加工技術などにおける成形加工技術が採用できる。例えば、蛍光剤２を含有する再帰反射塗膜を比較的簡単な工程で効率良く成形することができ、その他の層も塗装で形成することができるので、光反射層２３を形成する工程と、定着層２４を形成する工程と、熱線透過球状体２２を形成する工程とを、この順序で順次行うことによって簡単に酷暑環境用農林資材２０を製造することができる。より詳細に述べるならば、例えば、先ず、裏打ち層２６となる下地調整された基体表面に、金属粉顔料、好ましくはアルミニウム粉末を含有する熱線透過樹脂塗料を塗布して、好適な厚みとなる光反射層２３を形成する。次いで、光反射層２３の形成用塗膜を所定時間放置してその粘度が所定の値に なった後、樹脂塗料を塗布して、好適な厚みとなる定着層２４を形成する。上記各工程の塗装方法は、特に限定されるものでないが、塗膜厚みの制御が容易な方法、例えば、エアスプレー法や静電塗装法によるのが好ましい。このような方法で、塗料の供給速度と塗装時間を調節することにより、容易に所定膜厚の塗膜を形成することができる。次いで、定着層２４の形成用塗膜を所定時間放置してその粘度が所定の値になった後、所定平均粒径、所定屈折率の透明球状体２２を用 い、例えば、エアブラスト法又は静電粉体塗装法により蛍光剤２が分散された熱線透過球状体層２２を形成する。塗膜の粘度が適正な状態で、このような方法により球状熱線透過体を吹き付ければ、熱線透過球状体２２は光反射層２３の底部又は底部近くまで貫入し、固着される。なお、２層以上に積み重なった熱線透過球状体は、樹脂塗料で接着されていないため容易に除去することができ、略一層に密に敷きつめられた熱線透過球状体層２２を形成することができる。上記のように全ての層を塗装で行うのではなく、そのうちの一部を成形物としてもよい。そのようなものとして、光反射層２３と裏打ち層２６はフィルムとかシートと し、熱線透過球状体２２と定着層２４とを塗料の形態としたものが例示される。このような成形物であれば、裏打ち層がなくて光反射層２３のみからなるものであってもよい。
【００５２】
次に、酷暑環境用農林資材２０の作用を説明する。酷暑環境用農林資材１０の場合と異なる点を言及すると、酷暑環境用農林資材２０に照射した光７のうち、蛍光剤２と衝突しなかったものは、図２に示すように、熱線透過球状体２２に入り、光反射層２３との界面またはその近傍で反射され、再帰反射される。他方、蛍光剤２と衝突したものは、実施形態１と同様である。
【００５３】
次に、第１又は第２の実施形態に係る酷暑環境用農林資材１０、２０の使用方法を図３〜図５に従って説明する。なお、図中、大きい矢印は太陽光線の入射・反射を示し、小さい矢印は光合成に有効な光を示すものである。図３は、酷暑環境用農林資材１０、２０を、植物の根側近傍に配置したものである。このうち、図３（ａ）は、酷暑環境用農林資材１０、２０を植物Ｐの根側近傍であって、コーナーキューブプリズム構造１、又はビーズ型構造２１からの反射光側を植物の葉側に向けたものである。このような使用方法では、地面などが過熱されることがないので地面などや植物の乾燥と温度上昇とを防止できる。酷暑環境用農林資材１０は植物と植物の間の地面などに直接敷かれてもよいし、地面などより大部分を若干浮かせて地面などと平行に配置されてもよい。後者の場合は裏打ち層６、２６のところどころに地面などと接触させるための脚部を設ける。また、いずれの場合も、形状としてはシート、フィルム、ブロックなど任意の形状が取られ、例えば、シートの場合には、所々に穴を開け、その穴の大きさは将来の成長を加味した、植物の茎、幹の大きさとし、その穴に植物の種とか苗を植えるようにした大きなシートでも良いし、より小さなシートを複数枚植物の周りに敷くようにしてもよい。また、シートの形状に限らず、酷暑環境下用農林資材に、通気性や雨水を透過させるための多数の貫通孔となる開口部が設けられてもよい。ここで、「植物の葉側」とは、植物学的な意味ではなく、該植物の有する光合成システムにおいて太陽光を吸収する光アンテナとなる色素が多数存在する植物の部位を代表して記述したものであり、従って、植物によって、葉であったり茎であったり、場合によっては植物全体をいう。同様に、「植物の根側」とは、植物に対する太陽光の入射方向とは反対側の、太陽光を吸収する光アンテナとなる色素が少ない部位 を代表して記述したものであり、場合によっては、植物に対する太陽光の入射方向とは反対側の部位をいう。
【００５４】
図３（ｂ）は、酷暑環境用農林資材１０、２０を、植物の根側近傍の土地を植物の根元より低い位置に配置したケースである。典型的には、植物を植える地面を谷（凹部 Ｌ）と山（凸部Ｈ）の列状に開墾し、山（凸部Ｈ）に植物を、谷（凹部Ｌ）に酷暑環境用農林資材１０、２０を敷いたものである。このような形態の使用方法では、図３（ａ）と比べて光合成に有効な波長光が植物に対しより多く照射されるため、植物の光合成ひいては植物の育成をより促進して更に効率的に植物を栽培することができる。
【００５５】
図４は、酷暑環境用農林資材１０、２０を、植物Ｐの葉側近傍に配置したものであり、そのうち、図４（ａ）は、酷暑環境用農林資材１０、２０を湾曲させ、植物Ｐの側面に一端を地面などに接触させ、他端を地面などより高い位置にして、酷暑環境用農林資材１０、２０をタープ状若しくはカーテン状に設置したものである。また、図４（ｂ）は、酷暑環境用農林資材１０、２０を植物Ｐの近傍の側面に立設したものである。これらの場合でも、酷暑環境用農林資材１０、２０からの反射光のうち、蛍光剤により吸収されなかったものは再帰反射されるので、植物Ｐに照射することなく、入射方向に戻る。また、蛍光剤により吸収した光は、植物に照射されるものがあり、植物を成長促進させる。この場合の酷暑環境用農林資材１０、２０の形態はシート、フィルム、パネル、柱など任意の形状が取られ、それ自体が立設し得ないときには、例えば、柵、フェンス、ラティス、壁、堀、柱、ドア、カーテン、区画ブロックなどの構造体に添装するように設置することで使用される。
【００５６】
図５は、酷暑環境用農林資材１０、２０を、図３（ａ）と同様に、植物Ｐの根側近傍に配置し、その裏面側に、間歇的に又は一定時間ごとに注水パイプ（又は散水パイプ）Ｑにより地面に注水又は散水するものである。この形態の使用方法では、酷暑環境用農林資材１０、２０の再帰反射効果により、酷暑環境用農林資材１０、２０自体の吸熱が著しく少ないので、酷暑環境用農林資材１０、２０の裏面側となる地面に注水又は散水された水の蒸散を防ぎ、無駄な水の使用を大幅に抑制し、植物Ｐに水を効果的に供給することができ る。
【００５７】
〔第３の実施の形態〕
次に、本発明の第３の実施の形態に係る酷暑環境用農林資材としての使用方法に用いられる農林資材３０について図６を用いて説明する。酷暑環境用農林資材３０は、第１の実施の形態のミラー５の代わりに熱線反射ミラー３５とし、熱線透過媒体層４の代わりに透明媒体層１４とするものである。即ち、コーナーキューブプリズム構造３１を形成する一要素である透明媒体層１４と、コーナーキューブプリズム構造を構成するもう一つの要素である熱線反射ミラー３５と、短波長側の光を吸収し、光合成に有効な光を放射する蛍光剤２が分散されているか、表面に塗布された裏打ち層３６とから構成されたものである。
【００５８】
このうち、熱線反射ミラー３５は熱線を再帰反射し、光合成に有用な波長を含む残りの波長域の光を概ね透過する。熱線反射ミラー３５は熱線反射機能を有する金属酸化物をＩＴＯのスパッタ蒸着で形成する方法、或いは熱線反射機能を有する金属酸化物粉末を透明樹脂中に分散させた組成物を層状成形物として、透明媒 体層１４と積層する方法などで製造できる。
【００５９】
短波長側の光を吸収し光合成に有効な光を放射する蛍光剤２を含有させる場合には、再帰反射部材の光の反射側に設けても良いが、図示するように再帰反射部材の透過光側に設けた方が蛍光剤の放射する蛍光をより効率的に植物に照射することができるのでより好ましい。図では透過光側透明媒体中に分散させた場合を示しているが、透過透明媒体の表面に塗布してもよい。
【００６０】
本実施の形態においては、透明媒体層１４はなくても良い。しかしながら、透明媒体層１４がない場合、第１の実施形態の６と同様、酷暑環境用農林資材２０の受光面側は凸凹であるためにごみが付着しやすく、また取り扱い時に引っかかりやすく裂けやすいことから、透明媒体層１４を設けたものであり、状況によってはなくてもよい。
【００６１】
次に、本実施の形態に係る酷暑環境用農林資材３０の作用並びにその使用方法を図６により説明する。この場合には、酷暑環境用農林資材３０が光源と植物の間に置かれるか、或いは植物の近傍の構造物に塗布あるいは積層されて使用される。このうち、後者は第６の実施の形態で後述するので、前者について、図６をもとに以下説明する。酷暑環境用農林資材３０に図面の上方より照射した光７は、コーナーキューブプリズム構造３１の反射部位により、熱線７ａが概ね再帰反射され、光合成に有用な波長を含む残りの波長域の光７ｂが概ね透過されるので、熱線７ａは植物に照射されない。また、可視光で代表される光合成に有用な波長を含む残りの波長域の光７ｂのうち、蛍光剤２に吸収され、全方位に放射された光は植物に照射される。従って、土地や植物の乾燥と温度上昇とを抑制すると ともに、植物の光合成ひいては植物の育成を促進することができる。この実施の形態の場合には、酷暑環境用農林資材３０を植物栽培ハウス窓材、屋根材などの 受光部材とか、植物栽培ハウスの、例えばヘリオスタット、フレネルレンズなどの集光部とか、植物栽培ハウスの集光部からの光を受けて植物栽培ハウス内部に取り入れる過程に置かれるレシーバーとすることにより、従来のビニールハウスでは内部が太陽光や人工光源の熱により蒸し風呂のような暑さになったのに対し、そのような暑さを招くことなく、或いは、場所によっては、空調設備の負荷を大幅に軽減できて、快適な農業や園芸をすることができる。尚、植物栽培ハウ スの集光部とかレシーバーに用いるときには蛍光剤２を用いない方が好ましい。蛍光剤２を用いると、この段階で蛍光剤が全方位に蛍光を放射するので、放射された蛍光が栽培室に導入される比率が低下してしまうからである。それよりも、例えば、植物栽培ハウスのドーム状の壁材と床材とを、蛍光剤で塗布された鏡面 とすることにより、熱線が除去された光がドーム状の壁と床の鏡面との間で反射され、ドーム状の中に配置された植物に必ず、有用な光となって到達するような 方式を採用した方が効果的である。
【００６２】
〔第４の実施の形態〕
第４の実施の形態に係る酷暑環境用農林資材としての使用方法に用いられる農林資材４０は、図７に示すように、第２の実施の形態の光反射層２３の代わりに熱線反射層４３とし、熱線透過球状体２２の代わりに透明球状体４２としたものである。それにより、熱線を再帰反射し、光合成に有用な波長を含む残りの波長域の光を概ね透過する構造としたものである。即ち、短波長側の光を吸収し光合成に有効な光を放射する蛍光剤２が分散された透明球状体４２と、熱線反射層４３と、定着層２４と、透明な裏打ち層４６とから構成されている。このうち、熱線反射層４３は、第３の実施形態の熱線反射ミラー３５と材質的には同様のものであり、熱線を再帰反射し、光合成に有用な波長を含む残りの波長域の光を概ね透過するが、図示する 通り、形状を異にする。また、透明な裏打ち層４６は透明であるほかは裏打ち層２６と同様のものが用いられる。尚、図７では蛍光剤２が透明球状体４２の中に分散されている例を示しているが、蛍光剤２を透明な裏打ち層４６とか熱線反射層４３や定着層２４に分散させるか、これらの層の少なくともいずれかの表面に塗布させてもよい。その中でも蛍光剤が太陽光を散乱する場合には、透明な裏打ち層４６の表面、特に放射光側表面に塗布させる形態が好ましい。
【００６３】
次に、本酷暑環境用農林資材４０の作用を説明する。この実施の形態の場合も酷暑環境用農林資材３０の場合と同様に、光源と植物の間に置かれるか、或いは植物の近傍の構造物に塗布あるいは積層されて使用され、酷暑環境用農林資材３０の場合と同様な作用を有する。このうち、後者は第６の実施の形態で後述するので、前者について、図７をもとに以下説明する。即ち、酷暑環境用農林資材４０に照射した太陽光線７は、図７に示すように、透明球状体４２を透過したもののうち、熱線７ａは透明球状体４２と熱線反射層４３との界面或いはその近傍で再帰的に反射されるので、植物へ照射することがない。これに対し、光合成に有用な波長を含む残りの波長域７ｂの光は概ね透過し、その一部は蛍光剤２により、短波長側の光が吸収され、光合成に有効若しくはより有効な光に変換されて、全方位に放射されるので近傍にある植物にその一部が照射される。従って、土地や植物の乾燥と温度上昇とを抑制し、植物の光合成ひいては植物の育成を促進することができる。この実施の形態の場合には、第３の実施の形態と同様、植物栽培ハウスの窓材、屋根材などの受光部材とか、植物栽培ハウスの集光部、例えばヘリオスタットからの光を受けて植物栽培ハウス内部に取り入れる過程に置かれるレシーバーに用いることができる。
【００６４】
〔第５の実施の形態〕
第５の実施の形態に係る酷暑環境用農林資材としての使用方法に用いられる農林資材５０は、図８に示すように、インキまたは塗料とした形態であって、後で詳述する再帰反射構造を有する微小反射体５１と、短波長側の光を吸収し、光合成に有効な光を放射する蛍光剤２とが、熱線透過樹脂または透明樹脂と、要すればバインダーとを溶解する溶剤５４の中にそれぞれ多数個分散されているものである。このうち、再帰反射構造を有する微小反射体５１の再帰反射が熱線も可視光線も再帰反射するものであるときは、熱線透過樹脂、好ましくは透明樹脂が用いられ、再帰反射構造を有する微小反射体５１の再帰反射が熱線を選択的に再帰反射し、可視光線を透過するものであるときは、透明樹脂が用いられる。以下の説明では簡便を期すために上述の関係を単に「熱線透過樹脂又は透明樹脂」またはそれに類似する表現で説明している。尚、蛍光剤２は通常含まれていた方がよい。また、塗料は溶剤を用いない、粉体塗料であってもよい。
【００６５】
再帰反射構造を有する微小反射体５１とは、図９に示すように、個々が再帰反射構造を示すもの４個以上を一体として対称若しくは略対称とするものか、個々が再帰反射構造を示すもの３個以上を連接して表裏両面をそれぞれ構成して平板若しくは略平板とするものである。このうち、前者の例を示したものが、図９（ａ）〜（ｃ）であり、後者の例を示したものが、図９（ｄ）、（ｅ）である。また、再帰反射構造がコーナーキューブ構造に由来するものが図９（ａ）、（ｂ）、（ｅ）であり、ビーズ型構造に由来するものが図９（ｃ）、（ｄ）である。図中、（ａ）はコーナーキューブミラー８個の各反射面を張り合わせ、コーナーキューブを外側に開口した構造の斜視図で、左が球状体、右が対称重四角錐、（ｂ）は（ａ）のコーナーキューブミラーの代わりにコーナープリズムとしたもの、（ｃ）、（ｄ）はビーズを多数個、光反射体の周りに配したもので、（ｃ）は断面図、（ｄ）は左が上面図、右がａ−ａ´線断面図である。（ｅ）右側の図は、左側に上面図で示す一個のコーナーキューブミラーの各辺を接 合させた多数個の再帰反射ミラーシートの上面図であり、その右に示す図がそのｂ−ｂ´線断面図である。これらの図中、（ａ）、（ｂ）における破線はミラー の影に隠れて直視できないか、熱線透過樹脂又は透明樹脂の屈折率により変形して見える部分を示し、（ｅ）の破線部分は谷折り線であり、破線同士の交差点は 谷底である。また、（ｅ）の実線は山折り線（稜線）であると同時に同一平面にあり、実線同士の交差点は頂点である。
【００６６】
以下、これらの図を参考にして詳細に説明する。まず、図９（ａ）の左側に示したのは８個のコーナーキューブミラーである超微小反射体５５を一体とした、実際には球ではないが、一見球状体風の壁と床からなる構造体の微小反射体５１であり、右側が同様に対称四角錐ではないが、一見対称四多角錐風の壁と床からなる構造体の微小反射体５１である。図の波線はミラーの影に隠れて直視できない部位を示し、実線は直視できる線である。図９（ａ）に示すように、コーナーキューブ構造を用いた場合は、８個が最適である。８個であれば、壁面が９０度の角を有するのでコーナーキューブ構造をそのままで取れるのに対し、それ以外の４個以上の値では、配置が難しく、コーナーキューブとコーナーキューブとの間に隙間ができるので、塗布層面積に対する再帰反射構造の開口している面積の比率が低下するからである。本発明ではこのような４個以上から形成されるコーナーキューブとコーナーキューブとの間に隙間ができているものでも一体であれば塗布の如何に拘わらず近似的に再帰反射性が得られるので差し支えない。このような意味及び後述で挙げるものを含めて本発明では略対称と呼んでいる。これに対し、１〜３個の超微小反射体からなる微小反射体では、微小反射体を多数個分散した塗料とかインキとして塗布した場合、微小反射体の再帰反射構造の向きが揃いがちとなり、等方性若しくは略等方性とならないため、好ましくないためである。ここでコーナーキューブ構造におけるミラーの代わりに熱線反射ミラーとすることにより、熱線を再帰反射し、可視光線を透過する選択的再帰反射体とすることができる。図９（ｂ）は図９（ａ）のコーナーキューブミラーの代わりにコーナープリズムとした例である。図９（ｂ）は図９（ａ）の開口部に熱線透過樹脂又は透明樹脂５６を充填することによって得られ、いずれも、例えばプレス加工で作成することができる。図９（ｂ）の波線は熱線透過樹脂又は透明樹脂５６の屈折率により変形して見える線を示し、実線は直視できる線である。かくの如く、図９（ａ）、（ｂ）に示されるのは、再帰反射構造を有する超微小反射体５５の４個以上を一体として対称若しくは略対称とするものであるということができ、また、放射状に再帰反射構造の超微小反射体を配置したものということもできる。
【００６７】
図９（ｃ）及び（ｄ）は、再帰反射構造を有する微小反射体５１がマイクロビーズ型の形態であり、このうち、図９（ｃ）は断面図である。この図は横断面図でもあり、縦断面図でもある。微小反射体中央部５３がその周りよりも低屈折率を有するものであるか、光反射性の部材、例えば、金属粉を分散させた樹脂であり、それゆえに反射材のコアとなる反射面となり、その周りに超微小熱線透過球状体又は超微小透明球状体５２を配置した形 態である。この形態はどの断面をとってもこの形状を示す対称体であり、いずれの方向から見ても微小反射体５１が等方的に再帰反射構造である。また、図９（ｄ）は別な実施の形態であり、その左図は上面図であり、右図は左図のａ−ａ’線縦断面図である。微小反射体中央部５３がその周りよりも低屈折率を有するもので あり、それゆえに反射面となり、その上部及び下部に超微小熱線透過球状体又は超微小透明球状体５２を配置した形態である。この形態の場合、低屈折率である 微小反射体中央部５３が一方向に広い面を有する板状体である。かくの如く、図９（ｃ）、（ｄ）は反射材のコアの周りに超微小熱線透過球状体又は超微小透明球状体５２を配置した形態であり、そのうち図９（ｃ）が三次元的対称体若しくは三次元的略対称体である。超微小熱線透過球状体又は超微小透明球状体５２の数が少ないと略対称体になり、数が多くなると対称体となる。また図９（ｄ）は平板であり、二次元的な対称体であるといえる。
【００６８】
再帰反射構造を有する微小反射体５１がマイクロビーズ型の形態をとるのは、図９（ｃ）、（ｄ）に示すようなもののほかに、配位化合物の立体化学で用いる専門用語で表現する構造をとることができる。それは反射材のコアである微小反射体中央部５３を単核錯体の単核に、超微小熱線透過球状体又は超微小透明球状体５２を単核錯体の配位子に見立てた構造である。例えば、三方両錐型は配位子３個を三角形に並べ、その重心の上下に1個ずつ配位子を配置した構造であり５配位、すなわち超微小熱線透過球状体又は超微小透明球状体５２が５個であり、三角形に並んだ配位子の重心に核、すなわち反射材のコアである微小反射体中央部５３が配置されている。また四方錐型は配位子４個を四角形に並べ、その重心の上部に１個配位子を配置した構造であり５配位、すなわち超微小熱線透過球状体又は超微小透明球状体５２が５個であり、四角形に配置した配位子と上部の1個の配位子に挟まれるように核、すなわち反射材のコア５３が配置されている。また、三角柱型は三角柱の各頂点に配位子があり、重心に核が配置されているので、６配位子である。このように４個であれば、四面体構造、５個であれば、三方両錘型か四方錘型、６個であれば、八面体型、三角柱型、７個であれば、五方両錘型、一面冠八面体型、四角面一冠三角柱型など、８個であれば、立方体型、四方逆プリズム型、十二面体型、六方両錘型、トランス二面冠八面体型、三角面二冠三角柱型、四角面二冠三角柱型など、９個であれば、四角面三冠三角柱型、七方両錘型などが例示され、フラーレンのようにサッカーボール型としてもよい。かくの如く、４個以上であれば、何らかの対称性を有する構造が得られ、８個以上となれば、対称性を有する構造が多々存在する。反射を受け持つコア５３となる樹脂の 周囲に超微小熱線透過球状体又は超微小透明球状体５２が配置されていればよいので、上記のように数学的に対称性高く配置されている必要はなく、反射材のコア５３の周りに超微小熱線透過球状体又は超微小透明球状体５２が配されていればよく対称性が歪んでいてもよい。この意味を含めて本発明では「対称若しくは 略対称」と呼んでいる。それゆえ、微小反射体中央部５３の周りに４個以上の超微小熱線透過球状体又は超微小透明球状体５２を配し等方的若しくは略等方的に再帰反射構造を有するものが挙げられる。以上より個々が再帰反射構造を有する超微小熱線透過球状体又は超微小透明球状体５２が幾つか集まって一体として対称若しくは略対称を形成する際の超微小熱線透過球状体又は超微小透明球状体５２の数は４個以上、好ましくは８個以上である。
【００６９】
また、図９（ｅ）は、別な実施の形態の平面図であり、図９（ｅ）の左側の上面図で示す一個のコーナーキューブミラーの各辺を３個以上連接して表裏両面をそれぞれ構成して略平板の微小反射体とするものである。その上面図を図９（ｅ）の右側に、そのｂ−ｂ´線断面図が下側に示されたものである。ここで図の実線は山折れ線（稜線）であり、同一平面にあり、波線は谷折り線である。このような形状を略平板と本発明では呼んでいる。この形態では、割れを防止するために、表面と裏面の何れか、或いは両方を、透明部材で裏打ちしてもよい。
【００７０】
また、再帰反射構造を有する微小反射体５１の大きさは１０μｍ〜５ｍｍの大きさが好ましく、２０μｍ〜１ｍｍの大きさがより好ましく用いられる。１０μm より小さいと入射光の波長に近づき、光散乱されてしまうからであり、５ｍｍより大きいと塗布しにくくなるためである。
【００７１】
これら微小反射体５１は公知の超精密金型でプレス成型あるいは射出成型、さらには場合によっては、通常の樹脂成型技術により製造することができる。このうち、図９（ｅ）のような形態は、例えばアルミニウムのような金属粒子を分散させた樹脂フィルムをプレス成型するか、逆にプレス成型してから蒸着することで得られる。この方法はロールトゥロールなので、大量生産性能が高い。薄いシートに仕上げるのであれば、コーナーキューブの大きさを、それに合わせて小さくしなければならないので、マイクロ技術で作成された超精密金型が必要になるが、厚めのシートやパネル状であれば、超精密金型を使う必要がないので、製造は容易である。例えば、３ｍｍ程度の厚さのシルバーキャンピングシートや８ｍｍ程度の厚さのシルバーキャンピングマットをコーナーキューブ構造にして蛍光塗料を塗布することで簡単に製造することができる。これは水に浮き、断熱性もあるので、酷暑環境下での栽培ハウスの水耕栽培の際に、水面に浮かせて用いることができるし、砂漠からの熱風の影響を避けるべく、内部が断熱性とする空洞体の構造材料に使用することができる。また、熱線を再帰反射させ可視光を透過する場合は、ＩＴＯ等の選択的に熱線再帰反射する部材を分散させた樹脂素材を用いて、超精密金型でプレスあるいは射出成型するか、透明樹脂で形を作ってから、ＩＴＯ等の蒸着をすることで得られる。また、コーナーキューブ型の微小再帰反射体のうち、平板型は離型性の問題は少ないが、等方型のものは離型性が良くない形状をしているので、離型性を高める工夫が必要である。その一つの方法は、コーナーキューブの角度を開き気味にする方法である。別な方法は離型の際に超音波などの振動を与える方法である。さらに別な方法はプレスの際よりも離型の際の温度を下げて、熱膨張率の差を用いて離型しやすくする方法である。
【００７２】
本実施の形態に係る酷暑環境用農林資材５０となるインキまたは塗料中に微小反射体５１と共に含まれる透明樹脂、熱線透過樹脂は、それぞれ第１、第２の実施形態で説明した熱線透過樹脂、第３、第４の実施形態で説明した透明樹脂が用いられる。
【００７３】
本発明の実施の形態に係る酷暑環境用農林資材５０となるインキまたは塗料中には、透明樹脂または熱線透過樹脂が微小反射体５１に対して接着性を有しないときには、バインダーがさらに含まれる。バインダーとしては、塗膜の透明性を大きく損なわずに接着性を有するものであれば何でもよいが、好適には耐久性、耐候性のあるものが用いられる。例えば、ウレタン系接着剤、ノボラック系接着剤、アクリル系接着剤、アルキド樹脂、フッ素系接着剤、エポキシ系接着剤などが挙げられる。アミノ樹脂やブロックポリイソシアネート樹脂などの架橋剤と併せて使用することもできる。
【００７４】
本実施の形態のインキ又は塗料には、粉体塗料以外、溶剤が用いられる。溶剤は透明樹脂または熱線透過樹脂と、バインダーが含まれる場合にはバインダーを溶解するものであれば何でもよい。例えば、ミネラルスピリット、ヘキサン、ヘプタン、シクロヘキサン、オクタンなどの脂肪族炭化水素、ベンゼン、トルエン、キシレン等の芳香族炭化水素、クロルベンゼン、トリクロルベンゼン、パークロルエチレン、トリクロルエチレンなどのハロゲン化炭化水素、メタノール、エタノール、ｎ−プロピルアルコール、ｎ−ブタノールなどのアルコール類、ｎ−プロパノン、２−ブタノンなどのケトン類、酢酸エチル、酢酸プロピルなどのエステル類、テトラヒドロフラン、ジエチルエーテル、エチルプロピルエーテルなどのエーテル類、その他テレビン油などが挙げられる。また、当該溶剤は、単独で、あるいは二種以上を混合して使用することができる。
【００７５】
本実施の形態のインキ又は塗料の構成は溶剤を除いた全量中、再帰反射構造を有する微小反射体２０〜９０質量％と、蛍光剤を含有せしめる場合は概ね０．００５〜３質量％、より好ましくは、概ね０．０１〜０．５質量％と、微小反射体の空隙を埋める透明樹脂または熱線透過樹脂、要すればバインダーを残量とする配合が好ましい。また、本発明の塗料又はインキには、必要に応じて、他の着色顔料、染料、各種添加剤などを加えることができる。さらに水が加わっていてもよい。その場合には透明または熱線透過樹脂の溶解を妨げない限度である。各種添加剤としては、例えば、紫外線吸収剤、増粘剤、静電気除去剤、分散剤、酸化防止剤、艶だし剤、界面活性剤、合成保存剤、潤滑剤、可塑剤、硬化剤、フィラー（強化剤）、ワックスなどが挙げられる。
【００７６】
本実施の形態の酷暑環境用農林資材５０となる塗料又はインキを塗装する方法としては、公知の方法が採用でき、例えば、刷毛塗り法、スプレー法、ドクターブレード法、ロールコーター法、バーコーター法などが挙げられる。酷暑環境用農林資材５０となる塗料又はインキの被塗物としての基材は、植栽用構造物とか部材であれば特に限定されず、例えば、フェンス、ラティス、壁、堀、柱、ドア、カーテン、区画ブロック、パイプ、フィルム部材、シート部材、植物栽培台、柵、ウッドチップなどの、植物の近傍にある構造物であれば好適に用いることができる。また、当該被塗物としての基材である植栽用構造物の材質も、特に限定されず、従来公知のものを用いることができるが、例えば、セラミックス、ガラス、セメント、コンクリ−トなどの無機材料、天然樹脂、合成樹脂などのプラス チック材料、金属、木材、紙などが挙げられる。
【００７７】
本実施の形態に係る酷暑環境用農林資材５０として、微小反射体５１の反射面に全反射ミラーを用いた場合、本実施の形態の再帰反射構造を有する微小反射体、微小反射体の空隙を埋める熱線透過樹脂と、要すれば、バインダーと、溶剤と、蛍光剤とを含有するインキないしは塗料などを植栽用構造物の主面に塗布したものは第１及び第２の実施の形態と同様の機能が付与される。一方、微小反射体５１の反射面に熱線反射ミラーを用い、その周囲を透明樹脂とした場合では、第３及び第４の実施の形態と同様の機能が付与される。
【００７８】
この実施形態は、このような微小反射体５１がどのような向きで透明樹脂または熱線透過樹脂中に固定されても、酷暑環境用農林資材に再帰反射機能が付与されるのが特徴である。例えば、微小反射体がコーナーキューブミラー構造である図９（ａ）の場合、ばらばらに並べれば、各コーナーキューブミラー構造の向きはばらばらになるが、入射した光に対して、開口するコーナーキューブミラー構造が存在するために、再帰反射される。コーナーキューブミラーは±４５度程度、概ね９０度程度が再帰反射の守備範囲であるので、主たる面側に開口しているコーナーキューブミラーは、再帰反射に概ね寄与する。コーナーキューブミラーの角度が寝てくると再帰反射率は下がるが、主たる面側から見ると、様々な向きを向いている微小反射体の開口されたコーナーキューブミラーばかりが見えるので、全体としては、概ね再帰反射の塗装面となる。図９（ｂ）の場合も同様である。図９（ｃ）の微小反射体は全くの対称体であるから、塗布しても再帰反射機能が付与されることは明らかである。図９（ｄ）、 （ｅ）の場合は、平板であるので、塗布したときには、平板の主たる面を塗布面と概ね平行に配向する性質を有するので、再帰反射性能は高い。このような作用があるので、微小反射体が対称若しくは略対称の場合には、下地が凹凸でも構わないし、平坦な下地に微小反射体の群が凹凸に形成されても構わない。図１０（ａ）及び（ｂ）は、基材５６上に、コーナーキューブを外側に開口した構造の超微小熱線透過球状体、好ましくは超微小透明球状体５１，５１…が不均一に塗布された場合の一層または多層の各塗装縦断面図であるが、図１０（ｂ）に示すように、多数個の微小反射体のいずれかが一層ではなく、多層に厚塗りされていても、何ら支障なく再帰反射されることが示されている。また、微小反射体が平板の場合には、塗布面が平坦な下地の場合、再帰反射性能が高い。なお、図１０中の図示符号５７は透明樹脂または熱線透過樹脂よりなるバインダーである。
【００７９】
〔第６の実施の形態〕
第６の実施の形態に係る酷暑環境用農林資材としての使用方法に用いられる農林資材は、熱線の全部若しくは大部分を再帰反射し、光合成に有効な波長を含む残りの波長域の光を概ね透過する再帰反射部材が含有されている層と拡散反射層との積層からなるものである。熱線の全部若しくは大部分を再帰反射し、光合成に有効な波長を含む残りの波長域の光を概ね透過する再帰反射部材からなるものとしては、第３の実施の形態または第４の実施の形態に係る再帰反射部材が例示される。第３の実施の形態の場合で言えば、裏打ち層３６の、熱線反射ミラー３５の面とは反対側の面に接して拡散反射層が設けられる構造、第４の実施の形態の場合で言えば、熱線反射層４３と透明な裏打ち層４６との間に拡散反射層が設けられる構造とか、透明な裏打ち層４６中に拡散反射機能を有するものを分散させ た構造とし裏打ち層と拡散反射層を兼務させた構造、透明な裏打ち層４６の熱線反射層４３と接する面とは反対側の面に拡散反射層が設けられる構造などが例示される。
【００８０】
拡散反射層は、入射光を拡散反射する機能を有するものであれば、特に限定されないが、反射率が高いものが好適に用いられ、反射率が５０％以上、好ましくは７０％以上、より好ましくは８０％以上、特に好ましくは９０％以上のものが用いられる。材料としては、金属が特に好適である。また、拡散反射層の形態としては、例えば、反射率の高いもののみからなるもの、少なくとも入射光側となる主たる面が反射率の高い材質である多層積層体、反射率の高い材質を透明媒体中に分散させた組成物が挙げられる。このうち、積層体の例としては、任意の基材に蒸着された金属蒸着物やメッキしたものが挙げられ、また組成物の例としては、ガラス、樹脂等の透明媒体中に金属粉とか金属粒子を分散させたものが好適なものとして挙げられる。拡散反射層の透明媒体中に含有される金属粉顔料とし ては、アルミニウム、銅、錫、銀等の箔を粉末にした顔料が好適に用いることができるが、光輝性と入手の容易さからアルミニウム粉末が最適であり、その濃度は、本発明酷暑環境用農林資材の反射率が５０％以上となるような量とすればよく、中でも、拡散反射層に対する質量比で２０〜４０％であることが望ましい。 透明媒体としては、前述の透明媒体と同様のものが用いられる。
【００８１】
この実施形態の場合には、酷暑環境用農林資材は酷暑環境下にある植物の近傍に置かれる。熱線は再帰反射されるので、近傍の植物に照射されることなく光源に 戻るのに対し、熱線反射ミラーを透過した、光合成に有効な波長を包含する光は拡散反射層で拡散反射されて、近傍の植物に照射されて、光合成を促進する。かくのごとく、拡散反射層を設けた場合には拡散反射層の存在により、周囲にある植物に熱線以外の光を照射するので、蛍光剤があれば、より一層効果的である。また、この形態は植物栽培ハウスの集光部に用いることができる。その一例として、ヘリオスタットの反射鏡面部に用いることができる。また、別の例として、集光部からの光を受けて栽培ハウス内部に取り入れる過程に置かれるレシーバーにも用いることができる。
【００８２】
〔第７の実施の形態〕
第7の実施の形態に係る酷暑環境用農林資材としての使用方法に用いられる農林資材は、再帰反射部材が含有されている層と拡散反射層との積層からなり、拡散反射層がコールドミラー層である。第６の実施の形態と拡散反射層を積層する点では似ているが、この実施の形態の場合には、拡散反射層がコールドミラー層に限られるのに対し、再帰反射部材は特に限定されない点で、第６の実施の形態と異なり、実際に使用する場合にはコールドミラー層を入射光側とする点でも異なる。かかる使用形態では、光合成に有効な波長を含む光をコールドミラーで拡散反射し、残りの、光合成に有効でない光を再帰反射部材で再帰反射させるので、植物の近傍に配置して使用される。また、第６の実施の形態と同様、植物栽培ハウスの集光部に用いることができる。尚、コールドミラーとしては、光合成に有効な波長を拡散反射し、熱線を透過するものであればよく、例えば、透明基板上に低屈折率薄膜とこの薄膜よりも屈折率の高い薄膜とを交互に積層し、光波の干渉を利用して可視光線を反射されたものとか、積層数を減らすべく基材との間に交互に積層されるいずれの薄膜の屈折率よりも高い屈折率を有する赤外線透過膜を介在させたものなどが挙げられる。
【００８３】
〔第８の実施の形態〕
図１１に示すように、第８の実施の形態に係る酷暑環境用農林資材としての使用方法に用いられる農林資材は、植物栽培ハウス向け酷暑環境用農林資材６０である。その構成は、植物栽培ハウス内の地面若しくは床面に敷いたり、または水耕栽培や池などにおける植物の近傍の水面に浮かせて用いる再帰反射部材６１と、植物栽培ハウス６０の窓材、屋根材などを構成する受光部材６２とからなる。このうち、再帰反射部材６１は熱線も可視光線も再帰反射するものが用いられるのに対し、受光部材６２は太陽光を透過するものであれば、何でもよい。熱線も可視光線も透過する、ガラスや塩化ビニル樹脂などの樹脂フィルム；熱線を選択的に反射する、熱線反射ガラスや樹脂フィルム；熱線を再帰反射し、可視光線を透過する、熱線再帰反射ガラスや樹脂フィルムなどが例示され、これらのいずれかを一層とする積層体であってもよい。積層体の一例を後述の第１０の実施の形態で示す。何れを用いるのが最適かは、栽培する植物の種類、栽培地の気温、栽培ハウス内植物の占める受光面積比率などにより異なり、受光部材を透過する熱量と気温により栽培ハウス内が適度の温度になるように適宜選択される。しかしながら、熱帯や乾燥帯では無条件に熱線を選択的に再帰反射する、ガラスやフィルムが好ましい。なお、栽培ハウスにおいて直接太陽光を受光する部位にならない壁、即ち屋根が光透過性材料でない場合に日陰部分になる部位は、特に限定されないが、可視光線を再帰反射するとともに蛍光剤を含有するものがよい。無論、太陽光線を直接受光する部位と同様の材質としてもよい。
【００８４】
図１２、図１３は、特に水耕栽培の例を示すものである。水耕栽培の植物６３は、水耕栽培させる水６４に浮かせつつ樹立させるべく、水より比重の軽い浮き部６５にクッション部材６６を介して緩やかに挟持されている。クッション部材６６としては、スポンジのような吸水性のものが好ましく、浮き部６５としては、プラスチックが好適である。浮き部６５そのものが、再帰反射部材６１そのものであってもよいし、浮き部６５の表面に再帰反射部材６１が積層されていてもよい。プラスチックそ のものが水より比重の小さいもののときには、そのまま成形することで使えるし、水より比重が大きいときには、中空にすることで浮き部にすることができる。再帰反射部材６１としては、蛍光剤２が分散された再帰反射部材が好適に用いられる。また、水耕栽培の植物６３が成長するにつれて、浮き部６５の占める割合を増やしていく必要があり、図１２に示すように、適宜、浮き部６５を増やしていってもよいが、図１３に示すように、自動的に浮き部６５の占める割合が増えるように、浮き６５ａを多数個用意し、その表面に再帰反射と蛍光剤を分散塗布させたものが好適に用いられる。浮き６５ａの形状は、球状、塊状、サイコロ状、ブロック状など、任意の形態が取り得るが、球状が特に好ましい。
【００８５】
〔第９の実施の形態〕
また、本発明の酷暑環境用農林資材としての使用方法に用いられる農林資材において、上記各実施形態の入射光側の面に、反射防止材または光触媒からなる表面コート層が設けた形態はより一層好適である。そのうち、光触媒は、環境浄化機能を有するものでも、表面に親水性を付与するものでもよい。反射防止材がある場合には、その効果によって、入射光は入射面での乱反射を少なくし、光触媒がある場合には、その効果によって入射面を清浄にするので、再帰反射効果とともに、蛍光剤がある場合には、それによる光合成の促進効果を増すことができる。
【符号の説明】
【００８６】
１０、２０、３０、４０、５０  酷暑環境用農林資材
１、２１、３１、５１、６１  再帰反射部材
２                            蛍光剤
４                            熱線透過媒体層
５                            ミラー
６、２６、３６、４６          裏打ち層
７                            太陽光線
１４                          透明媒体層
２２                          熱線透過球状体
２３                          光反射層
２４                          定着層
３５                          熱線反射ミラー
４２                          透明球状体
４３                          熱線反射層
５１                          微小反射体
５２                          超微小熱線透過球状体又は超微小透明球状体
５３                          微小反射体中央部（光反射部）
５４                          溶剤
５５                          超微小反射体
５６                          熱線透過樹脂又は透明樹脂
６０                          植物栽培用ハウス
６２                          受光部材
６３                          水耕栽培の植物
６４                          水
６５                          浮き部
６６                          クッション部材
【図１】
0005717276.tif 000002
【図２】
0005717276.tif 000003
【図３】
0005717276.tif 000004
【図４】
0005717276.tif 000005
【図５】
0005717276.tif 000006
【図６】
0005717276.tif 000007
【図７】
0005717276.tif 000008
【図８】
0005717276.tif 000009
【図９】
0005717276.tif 000010
【図１０】
0005717276.tif 000011
【図１１】
0005717276.tif 000012
【図１２】
0005717276.tif 000013
【図１３】
0005717276.tif 000014